(57)【要約】      （修正有）【課題】メダルの配置領域が占有する面積は大きくないが、フレームにより複数のメダルが整然と収納及び展示され、且つメダルがフレーム及びカバーにより保護されるメダル収納及び展示構造を提供する。【解決手段】メダル収納及び展示構造は、メダル及び掛けストラップを収納させるためのフレーム１０と、フレームに覆設されるカバー２０と、複数のフレームを互いに連結させて組み合わせるための第一接合ユニット３１及び第二接合ユニット３２とを備える。複数のフレームが互いに隣接するように連結されて固体垂直面に固定されることによりメダルの配置領域が形成される。【選択図】図１
0003216554.tif 000002
【実用新案登録請求の範囲】
【請求項１】
幾何形状の輪郭を有するフレームであって、前記フレームの前面にはメダルを収納するためのメダル収納溝が設けられ、前記フレームの後面には前記メダルの掛けストラップを収納するための掛けストラップ収納溝を有し、前記メダル収納溝と前記掛けストラップ収納溝との間は隔壁により隔絶され、前記隔壁を貫通する箇所には、少なくとも１つの挿通孔及び固定孔が設けられ、前記挿通孔は前記掛けストラップを前記掛けストラップ収納溝中まで挿通させ、前記固定孔は固定素子を螺嵌させ、前記フレームを固体垂直面に螺着させることにより固定させ、前記掛けストラップ収納溝は前記固体垂直面に向けられることと、
透明材料で製造され、前記フレームの輪郭に対応させる周縁部を有し、前記周縁部は前記フレームの輪郭の外部に覆設されると共に前記メダル収納溝を被覆させ、前記メダルを直接観察可能にするカバーと、
前記フレームの前記輪郭の外部面にそれぞれ位置され、互いに結合または分離させるための相補形状を有する少なくとも１つの第一接合ユニット及び少なくとも１つの第二接合ユニットとを備えることを特徴とするメダル収納及び展示構造。
【請求項２】
前記フレームの輪郭は円形、矩形、多角形、或いは多弧辺形の内の何れか１つであることを特徴とする請求項１に記載のメダル収納及び展示構造。
【請求項３】
前記固定孔は前記隔壁の中心部に位置されることを特徴とする請求項１に記載のメダル収納及び展示構造。
【請求項４】
前記隔壁には前記固定孔の周囲に等間隔に分布される複数の前記挿通孔を更に備えることを特徴とする請求項３に記載のメダル収納及び展示構造。
【請求項５】
前記固定孔の孔壁には前記掛けストラップ収納溝に向けて延伸される中空のロックシリンダーが形成されることを特徴とする請求項１に記載のメダル収納及び展示構造。
【請求項６】
前記第一接合ユニット及び前記第二接合ユニットは互いに９０度で隔てられることを特徴とする請求項１に記載のメダル収納及び展示構造。
【請求項７】
前記第一接合ユニット及び前記第二接合ユニットは共に前記フレームの輪郭の外表面に突出され、前記第一接合ユニットは被嵌込用凹部を有し、前記第二接合ユニットは嵌込用凸部を有し、何れか１つの前記フレームの前記被嵌込用凹部には他の前記フレームの前記嵌込用凸部が嵌め込まれることを特徴とする請求項６に記載のメダル収納及び展示構造。
【請求項８】
前記掛けストラップ収納溝中に折り畳まれて収納される前記掛けストラップを挟持させて緩まないようにするためのホルダーを更に備えることを特徴とする請求項１に記載のメダル収納及び展示構造。
【考案の詳細な説明】
【技術分野】
【０００１】
本考案は、メダル収納及び展示構造に関し、前記構造はメダルの収納空間を節約し、且つメダルを陳列させて展示させるために用いられる。
【背景技術】
【０００２】
競技会では、競技で傑出したパフォーマンスをみせた選手への報奨として主催者が順位に基づいて選手にメダルを授与する。メダルはそのほとんどが幾何形状を呈するプレート状構造であり、且つ布製の吊掛けストラップに結び付けられている。主催者によってはメダル箱も一緒に贈与することがある。メダル箱の中には傾斜する展示面を有し、メダルは前記展示面に載置され、吊掛けストラップは展示面の後方に収納され、メダルの収納及び展示の目的を果たしている。
【考案の概要】
【考案が解決しようとする課題】
【０００３】
しかしながら、メダル箱は水平な固体面に載置される必要があるため、空間を大きく占用してしまい、且つ展示効果も固体垂直面に配置するのに比べると劣っていた。固体垂直面にメダルを展示する方式では、通常はＡ４用紙の大きさの額縁が採用される。１つまたは２つのＡ４サイズの額縁は、見た目は大きくないが、但し、いくつものメダルを獲得している選手は獲得メダル数が多いため、いくつもの額縁を固体垂直面に掛けて配列する場合、占有面積が明らかに広くなる。また、掛け方を工夫しなければ展示及び収納が単調になりすぎてしまう。最後に、掛けきれないメダルは直接箱の中に入れて引き出しの中に収納せねばならず、功績が埋もれて忘れ去られてしまう恐れがあった。  
【０００４】
そこで、本考案者は上記の欠点が改善可能と考え、鋭意検討を重ねた結果、合理的設計で上記の課題を効果的に改善する本考案の提案に到った。
【０００５】
本考案はこうした状況に鑑みてなされたものであり、その目的は、メダル収納及び展示構造を提供することにある。すなわち、制限のある固体垂直面で空間を節約しながら変化可能な幾何形状の構造でメダルの収納及び展示を行う。
【課題を解決するための手段】
【０００６】
上記課題を解決するために、本考案のある態様のメダル収納及び展示構造は、
幾何形状の輪郭を有するフレームであって、前記フレームの前面にはメダルを収納するためのメダル収納溝が設けられ、前記フレームの後面には前記メダルの掛けストラップを収納するための掛けストラップ収納溝を有し、前記メダル収納溝と前記掛けストラップ収納溝との間は隔壁により隔絶され、前記隔壁を貫通する箇所には、少なくとも１つの挿通孔及び固定孔が設けられ、前記挿通孔は前記掛けストラップを前記掛けストラップ収納溝中まで挿通させ、前記固定孔は固定素子を螺嵌させ、前記フレームを固体垂直面に螺着させることにより固定させ、前記掛けストラップ収納溝は前記固体垂直面に向けられることと、
透明材料で製造され、前記フレームの輪郭に対応させる周縁部を有し、前記周縁部は前記フレームの輪郭の外部に覆設されると共に前記メダル収納溝を被覆させ、前記メダルを直接観察可能にするカバーと、
前記フレームの前記輪郭の外部面にそれぞれ位置され、互いに結合または分離させるための相補形状を有する少なくとも１つの第一接合ユニット及び少なくとも１つの第二接合ユニットとを備える。
【０００７】
好ましくは、前記フレームの輪郭は円形、矩形、多角形、或いは多弧辺形の内の何れか１つである。
【０００８】
好ましくは、前記固定孔は前記隔壁の中心部に位置される。
【０００９】
好ましくは、前記隔壁には前記固定孔の周囲に等間隔に分布される複数の前記挿通孔を更に備える。
【００１０】
好ましくは、前記固定孔の孔壁には前記掛けストラップ収納溝に向けて延伸される中空のロックシリンダーが形成される。
【００１１】
好ましくは、前記第一接合ユニット及び前記第二接合ユニットは互いに９０度で隔てられる。
【００１２】
好ましくは、前記第一接合ユニット及び前記第二接合ユニットは共に前記フレームの輪郭の外表面に突出される。前記第一接合ユニットは被嵌込用凹部を有し、前記第二接合ユニットは嵌込用凸部を有する。何れか１つの前記フレームの前記被嵌込用凹部には他の前記フレームの前記嵌込用凸部が嵌め込まれる。
【００１３】
好ましくは、前記掛けストラップ収納溝中に折り畳まれて収納される前記掛けストラップを挟持させて緩まないようにするためのホルダーを更に備える。
【考案の効果】
【００１４】
本考案によれば、以下の長所を有する。
（１）複数のフレームが互いに連結されて固体垂直面に固定され、１つのメダル配置領域が形成される。メダル配置領域が占める面積は大きくなく、前記フレームにより複数のメダルが整然と収納及び展示され、且つメダルがフレーム及びカバーにより保護される。
（２）フレームの前面にはメダルが完全に展示され、フレームの後面には掛けストラップが折り畳まれて収納される。従来のＡ４サイズの額縁と比較すると、本考案はメダルの展示及び収納面積が具体的に縮小される。
（３）フレームの輪郭はメダルの外形に合致する。
（４）第一接合ユニット及び第二接合ユニットが連結されることにより、メダル配置領域中で複数のフレームが異なる幾何形状で配列及び配置される。
【図面の簡単な説明】
【００１５】
【図１】本考案の第１実施形態に係るメダル収納及び展示構造を示す外観斜視図である。
【図２】本考案の第１実施形態に係るメダル収納及び展示構造を示す斜視の分解図である。
【図３】本考案の第１実施形態に係るメダル収納及び展示構造を示す断面図である。
【図４】本考案の第２実施形態に係るメダル収納及び展示構造を示す外観斜視図である。
【図５】本考案の第４実施形態に係るメダル収納及び展示構造を示す外観斜視図である。
【図６】本考案の第４実施形態に係るメダル収納及び展示構造を示す外観斜視図である。
【図７】複数の本考案が結合され、固体垂直面に固着される概略図である。
【考案を実施するための形態】
【００１６】
以下に図面を参照して、本考案を実施するための形態について、詳細に説明する。なお、本考案は、以下に説明する実施形態に限定されるものではない。
【００１７】
本考案のメダル収納及び展示構造は、メダル４０及び掛けストラップ４１の収納に用いられるフレーム１０と、前記フレーム１０に覆設されるカバー２０と、複数のフレーム１０を互いに連結させるための第一接合ユニット３１及び第二接合ユニット３２とを備える（図１、図２及び図３参照）。
【００１８】
前述のフレーム１０は幾何形状を呈する輪郭１１を有し、前記輪郭１１は制限されないが、円形（図１参照）、矩形、多角形（図４及び図５参照）、或いは多弧辺形（図６参照）を含む。
【００１９】
前記フレーム１０の前面にはメダル４０を収納するためのメダル収納溝１２が設けられ、前記フレーム１０の後面には前記メダル４０の掛けストラップ４１を収納するための掛けストラップ収納溝１３を有する。前記メダル収納溝１２と前記掛けストラップ収納溝１３との間は隔壁１４により隔絶される。前記隔壁１４の中心箇所を貫通させる固定孔１６が設けられ、前記固定孔１６の孔壁には記掛けストラップ収納溝１３に向けて延伸される中空のロックシリンダー１６１が形成される。複数の挿通孔１５は前記隔壁１４の前記固定孔１６の周囲に等間隔に分布され、挿通孔１５は扁長楕円体であり、太目の掛けストラップ４１が前記掛けストラップ収納溝１３中まで通過させる。前記掛けストラップ収納溝１３中の掛けストラップ４１は整然と折り畳まれ、且つホルダー４２により挟持されて緩まなくなる。前記掛けストラップ収納溝１３は固体垂直面５０に向けられ、前記固定孔１６及び前記ロックシリンダー１６１により固定素子１６２が螺嵌され、固定素子１６２は前記フレーム１０の前面から後面に向けて螺嵌される。前記ロックシリンダー１６１により前記固定素子１６２が固体垂直面５０に対して傾斜せずにまっすぐに螺着され、前記フレーム１０が前記固体垂直面５０に螺着されて固定される。
【００２０】
前述のカバー２０は透明材料で製造され、前記フレーム１０の輪郭１１に対応させる周縁部２１を有し、前記周縁部２１は前記フレーム１０の輪郭１１の外部に覆設されて前記メダル収納溝１２を被覆させる。前記カバー２０が透明であるため、前記メダル収納溝１２中に位置されるメダル４０を鮮明に観察することができる。
【００２１】
前述の第一接合ユニット３１及び第二接合ユニット３２は前記フレーム１０の前記輪郭１１の外部面にそれぞれ位置される。前記第一接合ユニット３１及び前記第二接合ユニット３２は相互に結合または分離させるための相補形状を有する。本実施形態では、第一接合ユニット３１及び第二接合ユニット３２はそれぞれ２つ具備し、且つ前記輪郭１１の周囲に等間隔で交錯するように設置される。前記第一接合ユニット３１及び前記第二接合ユニット３２は互いに９０度で隔てられる。前記第一接合ユニット３１及び前記第二接合ユニット３２は共に前記フレーム１０の輪郭１１の外表面に突出される。
【００２２】
図７に示されるように、前記第一接合ユニット３１は被嵌込用凹部３１１を有し、前記第二接合ユニット３２は嵌込用凸部３２１を有する。何れか１つのフレーム１０の前記被嵌込用凹部３１１に他の前記フレーム１０の前記嵌込用凸部３２１が嵌め込まれる。これにより、複数のフレーム１０が互いに連結されて固体垂直面に設置され、１つのメダル配置領域が形成される。メダル配置領域が占める面積は大きくなく、前記フレーム１０により複数のメダル４０が整然と収納及び展示され、且つフレーム１０及びカバー２０により保護される。
【００２３】
以上、本考案の実施形態について図面を参照して詳述したが、具体的な構成はこの実施形態に限られるものではなく、本考案の要旨を逸脱しない範囲の設計変更等も含まれる。
【符号の説明】
【００２４】
１０  フレーム
１１  輪郭
１２  メダル収納溝
１３  掛けストラップ収納溝
１４  隔壁
１５  挿通孔
１６  固定孔
１６１  ロックシリンダー
１６２  固定素子
２０  カバー
２１  周縁部
３１  第一接合ユニット
３１１  被嵌込用凹部
３２  第二接合ユニット
３２１  嵌込用凸部
４０  メダル
４１  掛けストラップ
４２  ホルダー
５０  固体垂直面
【図１】
0003216554.tif 000003
【図２】
0003216554.tif 000004
【図３】
0003216554.tif 000005
【図４】
0003216554.tif 000006
【図５】
0003216554.tif 000007
【図６】
0003216554.tif 000008
【図７】
0003216554.tif 000009